(57)【要約】【課題】  特に、競艇における水面反射などの強い光が入った場合に、光電変換素子の飽和によって擬似的な白色の背景が発生し、白い被写体を判別することが困難となる。同様に、類似の「輝度」や「色合い」を持った背景と被写体の判別も困難である。【解決手段】  カラー方式の電子判定装置で、Ｒ，Ｇ，Ｂのうちの１または２の色を抽出・選択してＣＲＴ等で表示することにより、３色が混合されたカラー映像と比較して、背景と被写体を区別し易くする。また、この様に構成された電子判定装置で、白以外の被写体を撮影することで、光電変換素子が飽和するような強い光による擬似的な白色との判別を容易にする。【選択図】  図１
2005303589.tif 000002
【特許請求の範囲】
【請求項１】
Ｒ，Ｇ，Ｂ，３系統より成る信号処理回路に入力したカラースリットカメラからの映像信号を３系統同時に処理し、カラー映像表示手段（ＣＲＴやＬＣＤ）に表示させるカラー方式の電子判定装置における信号処理方法において、
前記信号処理回路におけるＲ，Ｇ，Ｂの各信号処理回路から、被写体の色と背景の色を分離して判定するための所望の１系統又は２系統を選択・抽出して、カラー映像表示手段に表示させるように構成したことを特徴とする表示色選択機能を備えたカラー電子判定装置。
【請求項２】
Ｒ，Ｇ，Ｂ，３系統より成る信号処理回路に入力したカラースリットカメラからの映像信号を３系統同時に処理し、カラー映像表示手段（ＣＲＴやＬＣＤ）に表示させるカラー方式の電子判定装置における信号処理方法において、
前記信号処理回路におけるＲ，Ｇ，Ｂの各信号処理回路から、被写体の色と背景の色を分離して判定するための所望の１系統又は２系統を選択・抽出した映像信号をモノクロ映像信号に変換して、カラー映像表示手段に表示させるように構成したことを特徴とする表示色選択機能を備えたカラー電子判定装置。
【請求項３】
競艇におけるスタート判定およびゴール判定に使用されるＲ，Ｇ，Ｂ，３系統より成る信号処理回路に入力したカラースリットカメラからの映像信号を３系統同時に処理し、カラー映像表示手段（ＣＲＴやＬＣＤ）に表示させるカラー方式の電子判定装置における信号処理方法において、
ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、前記ボートの先端部分の色と背景である飽和した白色を分離して判定するための所望の１系統又は２系統を選択・抽出して、カラー映像表示手段に表示させるように構成したことを特徴とする表示色選択機能を備えたカラー電子判定装置を用いた判定方法。
【請求項４】
競艇におけるスタート判定およびゴール判定に使用されるＲ，Ｇ，Ｂ，３系統より成る信号処理回路に入力したカラースリットカメラからの映像信号を３系統同時に処理し、カラー映像表示手段（ＣＲＴやＬＣＤ）に表示させるカラー方式の電子判定装置における信号処理方法において、
ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、前記ボートの先端部分の色と背景である飽和した白色を分離して判定するための所望の１系統又は２系統を選択・抽出した映像信号をモノクロ映像信号に変換して、カラー映像表示手段に表示させるように構成したことを特徴とする表示色選択機能を備えたカラー電子判定装置を用いた判定方法。
【発明の詳細な説明】
【技術分野】
【０００１】
本発明は、競馬・競輪・競艇・オートレース等の公営競技において、競技対象物の勝敗（フライングおよび着順、所要タイム等）を判定する電子判定装置（スリットカメラ）に関する。
【背景技術】
【０００２】
競馬・競輪・競艇・オートレース等の公営競技において、競技対象物の勝敗（フライングおよび着順、所要タイム等）を判定するために、スリットカメラが使用されている。
スリットカメラには、銀塩写真のフィルムを用いる方式と、ＣＣＤラインセンサなどを用いた電子式があり、本発明では電子式のスリットカメラを使用した電子判定装置の機能向上を目的としている。
従来技術による電子判定装置には、モノクロ（白黒）方式とカラー方式があり、モノクロ方式の回路構成例を図３に、カラー方式の回路構成例を図４に示す。
【０００３】
まず、モノクロ方式の電子判定装置の動作について、図３を用いて説明する。
モノクロ方式のスリットカメラ１０１で光電変換された映像信号は、入力アナログ処理系（バッファアンプ、クランプ回路、フィルタ等で構成される処理系）１０２を通過し、Ａ／Ｄ変換回路１０３でディジタル変換された後にメモリ回路１０４に記録される。
映像を再生するには、メモリ回路１０４に記録された映像信号をＤ／Ａ変換回路１０５でアナログ信号に変換した後、出力アナログ処理系（フィルタ、ドライブ回路等で構成される処理系）１０６を経由して、モノクロＣＲＴ１０７へ表示される。
【０００４】
図４に示すカラー方式の電子判定装置では、カラースリットカメラ２０１がカラー方式に対応しており、撮影対象からの光はカメラの内部でプリズムやカラーフィルタによって、光の３原色であるＲ（赤），Ｇ（緑），Ｂ（青）に分解されて、Ｒ，Ｇ，ＢそれぞれのＣＣＤによって光電変換される。
電子判定装置の内部では、Ｒ，Ｇ，Ｂそれぞれの信号を前述のモノクロ方式と同様の入力アナログ処理系２０２１〜２０２３、Ａ／Ｄ変換回路２０３１〜２０３３、メモリ回路２０４１〜２０４３、Ｄ／Ａ変換回路２０５１〜２０５３、出力アナログ処理系２０６１〜２０６３を経由して、カラーＣＲＴ２０７に表示される。
【特許文献１】特許第３０７２７３２号公報
【特許文献２】特許第３１９１８６８号公報
【発明の開示】
【発明が解決しようとする課題】
【０００５】
電子判定装置は、競馬・競輪・競艇・オートレース等の公営競技において、競技対象物の勝敗（フライングおよび着順、所要タイム等）を判定するものであるから、目的とする競技対象物（被写体）を背景映像と区別して視認できる必要がある。
しかしながら、一般的にスリットカメラに使用されているＣＣＤラインセンサは、入力された光量に比例した電圧が出力される光電変換素子であるが、ダイナミックレンジ（入力と出力が直線的に比例する信号範囲）が狭いため、強い光が入力されると出力信号が容易に飽和してしまう。このため、背景部分に太陽光など強い光が入射された場合には、ＣＣＤラインセンサの出力信号が飽和してしまい、モノクロ方式では「擬似的な白」となって撮影される。
また、カラー方式でもＲ，Ｇ，Ｂに対応したＣＣＤラインセンサの出力が全て最大値で飽和するため、同様に「擬似的な白」となって撮影される。
【０００６】
この状況では、特に被写体の色が「白」の場合に区別が困難となるため、判定に支障を来たす。
特に顕著な例は、競艇における水面上のボートを撮影する場合である。競艇におけるボートの着順判定などは、ボートの先端部分を基準としている。この部分は、従来から採用されていたモノクロの銀塩写真スリットカメラや電子判定装置での視認性を高めるために「白」を使用している。
これは、水面が黒に近い暗い色で撮影されるので、コントラスト（明暗比）の大きい「白」が採用されているためである。
競艇では、水面上のボートを撮影するため、スリットカメラの撮影範囲内に太陽光の水面反射が発生する場合がある。この場合の水面反射部分は非常に強い光量を持つため、ＣＣＤ素子は飽和してしまい「擬似的な白」として撮影される。この反射部分にボート先端がある場合は、背景部分はＣＣＤ素子の飽和により「白」となるため、「白」であるボートの先端と区別ができない。
【０００７】
一般的な映像の撮影では、このような反射面を避けて画面構成を行うが、特定の位置（スタートライン、ゴールライン）で撮影することが必要な電子判定装置では、画面構成に自由度がないために水面反射の中に埋もれた被写体についても、背景となる反射光と区別して判定する必要がある。
また、画面構成に自由度がないために、背景に写るものと被写体が類似の「輝度」や「色合い」となることもあり、この場合も判定に困難を来たす。
【０００８】
そこで、この発明は、上述した事情に鑑み、競馬・競輪・競艇・オートレース等の公営競技で使用される電子判定装置において、背景からＣＣＤ素子が飽和するような強い光が入射したり、被写体と背景色が類似の「輝度」や「色合い」になった場合でも、目的とする被写体と背景の区別を可能とする表示色選択機能を備えたカラー電子判定装置を提供することを目的とする。
【課題を解決するための手段】
【０００９】
請求項１に記載の発明は、カラー対応のスリットカメラ１と、Ｒ，Ｇ，Ｂ，３系統から成るカメラからの入力信号を増幅・安定化させる入力アナログ処理系（バッファアンプ、クランプ回路、フィルタ等で構成される処理系）２１〜２３と、アナログ信号をディジタル信号に変換するＡ／Ｄ変換回路３１〜３３と、ディジタル信号を記録するためのメモリ回路４１〜４３と、前記メモリ回路４１〜４３に記録された映像のディジタル信号をアナログ信号に変換するＤ／Ａ変換回路５１〜５３と、Ｒ，Ｇ，Ｂの各系統のアナログ信号から所望の１系統又は２系統あるいは３系統すべてを次段に接続できる色系統選択回路を構成する切替スイッチ２１と、表示手段を駆動するための増幅・安定化を行う出力アナログ処理系（フィルタ、ドライブ回路等で構成される処理系）６１〜６３と、表示手段としてのカラーＣＲＴ７へ表示させるように構成し、撮影された映像から所望の１系統又は２系統の色成分を抽出・選択して表示できるようにしたものである。
なお、画像取込クロック発生回路８、調停回路９、画像表示クロック発生回路１０が設けてあり、カラースリットカメラ１、Ａ／Ｄ変換回路３１〜３３、メモリ回路４１〜４３、Ｄ／Ａ変換回路５１〜５３およびカラーＣＲＴ７へ、それぞれクロック信号を送出して、カラー電子判定装置全体としての同期をとっている。
【００１０】
請求項２に記載の発明は、カラー対応のスリットカメラ１と、Ｒ，Ｇ，Ｂ，３系統から成るカメラからの入力信号を、増幅・安定化させる入力アナログ処理系（バッファアンプ、クランプ回路、フィルタ等で構成される処理系）２１〜２３と、アナログ信号をディジタル信号に変換するＡ／Ｄ変換回路３１〜３３と、ディジタル信号を記録するためのメモリ回路４１〜４３と、前記メモリ回路４１〜４３に記録された映像のディジタル信号をアナログ信号に変換するためのＤ／Ａ変換回路５１〜５３と、Ｒ，Ｇ，Ｂの各系統のアナログ信号から所望の１系統又は２系統あるいは３系統すべてを次段に接続できる色系統選択回路を構成する切替スイッチ２１と、選択された色系統の映像信号から擬似的なモノクロ映像を合成するための擬似モノクロ映像合成回路２２と、表示手段を駆動するための増幅・安定化を行う出力アナログ処理系（フィルタ、ドライブ回路等で構成される処理系）６１〜６３と、表示手段としてのカラーＣＲＴ７へ表示されるように構成し、撮影された映像から所望の１系統又は２系統の色成分を抽出・選択したうえで、選択された色系統の映像信号を擬似的なモノクロ映像に変換して表示できるようにしたものである。
【００１１】
請求項３に記載の発明は、カラー対応のスリットカメラ１と、Ｒ，Ｇ，Ｂ，３系統から成るカメラからの入力信号を増幅・安定化させる入力アナログ処理系（バッファアンプ、クランプ回路、フィルタ等で構成される処理系）２１〜２３と、アナログ信号をディジタル信号に変換するＡ／Ｄ変換回路３１〜３３と、ディジタル信号を記録するためのメモリ回路４１〜４３と、前記メモリ回路４１〜４３に記録された映像のディジタル信号をアナログ信号に変換するためのＤ／Ａ変換回路５１〜５３と、Ｒ，Ｇ，Ｂの各系統のアナログ信号から所望の１系統又は２系統あるいは３系統すべてを次段に接続できる色系統選択回路を構成する切替スイッチ２１と、表示手段を駆動するための増幅・安定化を行う出力アナログ処理系（フィルタ、ドライブ回路等で構成される処理系）６１〜６３と、表示手段としてのカラーＣＲＴ７へ表示されるように構成し、撮影された映像から所望の１系統又は２系統の色成分を抽出・選択して表示できるようにした電子判定装置で、ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、ボートの先端部分の色と背景である飽和した白色を分離して判定するための所望の１系統又は２系統を選択・抽出して、カラー映像表示手段に表示させるようにする判定方法である。
【００１２】
請求項４に記載の発明は、カラー対応のスリットカメラ１とＲ，Ｇ，Ｂ，３系統から成るカメラからの入力信号を、増幅・安定化させる入力アナログ処理系（バッファアンプ、クランプ回路、フィルタ等で構成される処理系）２１〜２３と、アナログ信号をディジタル信号に変換するＡ／Ｄ変換回路３１〜３３と、ディジタル信号を記録するためのメモリ回路４１〜４３と、前記メモリ回路４１〜４３に記録された映像のディジタル信号をアナログ信号に変換するＤ／Ａ変換回路５１〜５３と、Ｒ，Ｇ，Ｂの各系統のアナログ信号から所望の１系統又は２系統あるいは３系統すべてを次段に接続できる色系統選択回路を構成する切替スイッチ２１と、選択された色系統の映像信号から擬似的なモノクロ映像を合成するための擬似モノクロ映像合成回路２２と、表示手段を駆動するための増幅・安定化を行う出力アナログ処理系（フィルタ、ドライブ回路等で構成される処理系）６１〜６３と、表示手段としてのカラーＣＲＴ７へ表示されるように構成し、撮影された映像から所望の１系統又は２系統の色成分を抽出・選択したうえで、選択された色系統の映像信号を擬似的なモノクロ映像に変換して表示できるようにした電子判定装置で、ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、ボートの先端部分の色と背景である飽和した白色を分離して判定するための所望の１系統又は２系統を選択・抽出した映像信号をモノクロ映像信号に変換して、カラー映像表示手段に表示させるようにする判定方法である。
【発明の効果】
【００１３】
以上説明したように、この発明によれば、競馬・競輪・競艇・オートレース等の公営競技で使用される電子判定装置において、被写体と背景色が類似の「輝度」や「色合い」になった場合でも、目的とする被写体と背景の区別が容易となるカラー電子判定装置と、これを使用した判定方法を実現できる。
【発明を実施するための最良の形態】
【００１４】
本発明を実施するための最良の形態を、添付図面を参照しながら説明する。
図１は、請求項１に記載の発明に係る表示色選択機能を備えたカラー電子判定装置の構成を示すブロック図である。
【実施例１】
【００１５】
カラー対応のスリットカメラ１からの映像信号は、Ｒ，Ｇ，Ｂそれぞれの入力アナログ処理系２１〜２３で増幅・安定化された後、Ａ／Ｄ変換回路３１〜３３でディジタル信号に変換されて、メモリ回路４１〜４３に映像信号として記録される。
また、映像を再生する際にはＤ／Ａ変換回路５１〜５３でアナログ信号に変換された後、色信号選択回路を構成する切替スイッチ２１で選択された系統の映像信号が次段の出力アナログ処理系６１〜６３に供給され、表示のための増幅・安定化を行い、カラーＣＲＴ７に表示される。
【００１６】
ここで、本発明の特徴である色信号選択回路について詳細説明する。
通常の表示では３系統すべての映像信号を、次段の出力アナログ処理系６１〜６３に接続するが、表示する画面の状況から色を選択する必要がある場合が考えられる。
このような場合においては、次に述べる手段を構じなくてはならない。
(1) 被写体を背景の色と異なる色を選択し、画像の境界を容易に判別できるようにしたうえで、色の差異が明確となる色信号を選択する。
色の差異が明確となる色とは表１に示すような色の構成要素から、被写体と背景の色がＲ，Ｇ，Ｂのうち、どの色成分（Ｒ，Ｇ，Ｂ）から構成されているかを判別して、「被写体と背景の片方だけに含まれる色成分（Ｒ，Ｇ，Ｂ）」である。
【表１】
2005303589.tif 000003
この表１では、色成分の有無だけを表わしているが中間調の混合色では、「含まれている度合の差が大きい色成分」となる。
なお、表１は映像信号で取り扱う色が、Ｒ，Ｇ，Ｂ各色いずれから構成されているかを示すものである。
輝度（Ｙ）は人間の視覚的な特徴から、Ｒ，Ｇ，Ｂの色毎の信号強度と輝度（モノクロ信号の信号強度に相当）の関係には一定の比率がある。
例えば、テレビジョンの標準方式（ＮＴＳＣ）では、次式のような比率が使用される。
Ｙ（モノクロ信号の輝度）＝０．５９Ｇ＋０．３Ｒ＋０．１１Ｂ・・・（１）
表１における輝度（Ｙ）の項目は、（１）式から算出した輝度を記載している。
【００１７】
(2) 背景と被写体の「輝度」および「色合い」が類似となったため、Ｒ，Ｇ，Ｂの各色を独立に表示することで、３色の混合となったカラー映像よりも僅かな差異を視認可能とさせる。
この実施例では、本発明の特徴である色系統選択回路を構成する切替スイッチ２１をＤ／Ａ変換回路５１〜５２と出力アナログ処理系６１〜６２の間に設けたが、出力アナログ処理系６１〜６３とカラーＣＲＴ７の間など、Ｒ，Ｇ，Ｂの各系統から所望の１系統あるいは２系統を抽出・選択できる位置であれば、記録・再生に係る適当な位置に設けることができるのは言うまでもない。
また、この実施例では、映像をメモリに記録した後に再生するように構成しているが、実際の運用方法では、記録と再生・表示の微少の時間差で並行して運用するため、ほぼ同時に表示される。
【実施例２】
【００１８】
図２は、請求項２に記載の発明に係る擬似モノクロ映像合成回路２２と表示色選択機能を備えたカラー電子判定装置の構成を示すブロック図である。カラー対応のスリットカメラ１からの映像信号は、Ｒ，Ｇ，Ｂそれぞれの入力アナログ処理系２１〜２３で増幅・安定化された後、Ａ／Ｄ変換回路３１〜３３でディジタル信号に変換されて、メモリ回路４１〜４３に映像信号として記録される。
また、映像を再生する際には、Ｄ／Ａ変換回路５１〜５３でアナログ信号に変換された後、色信号選択回路を構成する切替スイッチ２１で選択された色系統の映像信号から擬似的なモノクロ映像を合成するための擬似モノクロ映像合成回路２２を通過して、次段の出力アナログ処理系６１〜６３に供給されて表示のための増幅・安定化を行い、カラーＣＲＴ７に表示される。
【００１９】
選択された色信号から擬似的なモノクロ映像を合成するには次の手法を使用する。
(1) 単一の色信号から擬似的なモノクロ映像を合成する。
選択された色の映像信号を、次段のＲ，Ｇ，Ｂすべての出力アナログ処理系６１〜６３に接続する。
(2) ２系統の色信号から擬似的なモノクロ映像を合成する。
選択された２色の映像信号を１対１で加算した後、２分の１に分割する。
つまり、２系統の色信号を平均化したうえで、次段のＲ，Ｇ，Ｂすべての出力アナログ処理系６１〜６３に接続する。
なお、人間の視覚的な特徴から、Ｒ，Ｇ，Ｂの色毎の信号強度と輝度（モノクロ信号の信号強度に相当）の関係には一定の比率があり、例えば、テレビジョンの標準方式（ＮＴＳＣ）では、次式のような比率が使用される。
Ｙ（モノクロ信号の強度）＝０．５９Ｇ＋０．３Ｒ＋０．１１Ｂ・・・（１）
上述した実施例では、パーソナルコンピュータで使用される方式と同じように、カラーの各色信号の強度と輝度の変換比率は、映像を表示するカラーＣＲＴ装置の内部に実装されているため、擬似モノクロ映像合成回路２２においては、Ｒ，Ｇ，Ｂの比率を１：１：１で取り扱う構成となる。
【実施例３】
【００２０】
請求項３に記載の発明では、前述の請求項１の発明の実施の形態に記載した表示色選択機能を備えたカラー電子判定装置（図１に示すブロック図を参照）を使用して、ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、ボートの先端部分の色と背景である飽和した白色を分離して判定するための所望の１系統又は２系統を選択・抽出して、カラー映像表示手段に表示させるようにする判定方法である。
【００２１】
この実施例では、白以外の色として使用する色を「黄」とする。前記表１に記載したように「黄」は「Ｇ」と「Ｒ」が混合された色で、輝度成分は白の８９％（０．８９倍）となる。
輝度が高いということは、従来のモノクロ電子判定装置やモノクロ銀塩写真方式でも、輝度が低く撮影される水面部分とのコントラストが大きく撮影される点で有利である。
また、「黄」の色を構成する要素には「Ｂ」が含まれていない。
この条件で、水面反射部分に入ったボートの先端部分を撮影する。
この場合の水面反射部分は非常に強い光量を持つため、Ｒ，Ｇ，Ｂ各色のＣＣＤ素子は飽和してしまい、「擬似的な白」として撮影される。
この反射部分にボート先端がある場合は、モノクロ映像では輝度が８９％の「黄」との区別は困難である。また、カラー映像においても輝度の差が小さい「黄」と「白」の判別は難しい。
【００２２】
ここで、色信号選択回路を構成する切替スイッチ２１によって、「Ｂ」の１系統だけを表示するように設定することで、カラーＣＲＴ７には「Ｂ」の色信号だけを抽出・選択した画面が表示される。
この場合に、強い反射光によって飽和した背景部分は、「Ｂ」の高輝度（最大信号レベル）であるのに対して「黄」で着色されたボートの先端部分は、「Ｂ」の色成分を持たないため低輝度で表示されることとなる。このため、背景部分と被写体であるボートの先端部分は容易に判別できる。
なお、この際、「Ｒ」や「Ｇ」を選択した場合には、背景部分とボートの先端部分が同様に高輝度となって判別が困難である。
また、ボートの先端部分を他の色に設定しても、表示色を選定することで同じ効果が得られることは言うまでもない。
【実施例４】
【００２３】
請求項４に記載の発明では、前述の請求項２の発明の実施の形態に記載した表示色選択機能を備えたカラー電子判定装置（図２に示すブロック図を参照）を使用して、ボートの先端部分を白以外の色で着色したボートを撮影し、水面からの反射光による撮像素子の飽和入力信号である擬似的な白色とを判別するために、前記信号処理回路におけるＲ，Ｇ，Ｂの各信号処理回路から、ボートの先端部分の色と背景である飽和した白色を分離して判定するための所望の１系統又は２系統を選択・抽出した映像信号をモノクロ映像信号に変換して、カラー映像表示手段に表示させるようにする判定方法である。
【００２４】
この実施例では、前述の請求項３の発明の実施の形態に記載した判定方式において、表示するために選択された系統の色信号を前記請求項２の発明の実施の形態に記載した、選択された色系統の映像信号から擬似的なモノクロ映像を合成してＣＲＴに表示するように構成されている。つまり、ボートの先端部分の色と背景である飽和した白色を分離して判定するための所望の１系統又は２系統を選択・抽出した映像信号を、そのままＣＲＴ装置で表示すると、例えば、「Ｂ」を選択した場合は「全面がＢ（青）」で表示される。特定の色だけで表現された画面は、日常的に見ることが少ないために違和感がある。また、「Ｂ」の場合には（１）式に示したような視覚的な特性から「Ｂ」に対する人間の感度が低いため判別も難しい。
この問題を解決するため、請求項２の発明に記載した方法で「擬似的なモノクロ映像」の表示を可能とし、容易に判別できるように構成した判定方法である。
【図面の簡単な説明】
【００２５】
【図１】この発明に係る表示色選択機能を備えたカラー電子判定装置の構成を示すブロック図。
【図２】この発明に係る擬似モノクロ映像合成回路と表示色選択機能を備えたカラー電子判定装置の構成を示すブロック図。
【図３】従来技術によるモノクロ方式の電子判定装置の構成を示すブロック図。
【図４】従来技術によるカラー方式の電子判定装置の構成を示すブロック図。
【符号の説明】
【００２６】
１    カラースリットカメラ
２１〜２３  入力アナログ処理系
３１〜３３  Ａ／Ｄ変換回路
４１〜４３  メモリ回路
５１〜５３  Ｄ／Ａ変換回路
６１〜６３  出力アナログ処理系
７    カラーＣＲＴ
８    画像取込クロック発生回路
９    調停回路
１０  画像表示クロック発生回路
【図１】
2005303589.tif 000004
【図２】
2005303589.tif 000005
【図３】
2005303589.tif 000006
【図４】
2005303589.tif 000007